(57)【特許請求の範囲】
【請求項１】
垂直方向に延びる支柱部を複数備え、該支柱部に棚板が回動可能に配置される猫用の遊戯装置であって、
上記支柱部は、紙管又は合成樹脂で形成され外周面には略全長にわたり縄(101)が螺旋状に巻き付けてある円筒状の管本体(100)を含み、
該管本体(100)内部の両端側には、寸切長ボルト又は寸切短ボルトがねじ込まれるネジ孔(108)を有する合成樹脂製の連結部材(102)が固着して設けてあり、
上記棚板には、上記寸切長ボルト又は寸切短ボルトを通す貫通孔(200)が形成されており、
上記棚板の上面側及び下面側に位置する支柱部の連結部材(102)のネジ孔(108)に上記貫通孔(200)を貫通している上記寸切長ボルトの両側がねじ込まれ、上記棚板は上記支柱部の間に挟まれて取り付けられることを含む、
猫用の遊戯装置。
【請求項２】
支柱部の連結部材(102)のネジ孔(108)に寸切短ボルトがねじ込まれ、該寸切短ボルトは棚板の貫通孔(200)に差し込まれ、該棚板の上方から上記貫通孔(200)に調整ナットが嵌め込まれ、該調整ナットは、上部には六角レンチが嵌合可能な穴が形成され下部には寸切短ボルトが螺合可能なネジ溝が形成されているフランジ付きナットであり、上記調整ナットを上記寸切短ボルトの上端に締め込むことにより、上記棚板が取り付けられている支柱部を含む、
請求項１記載の猫用の遊戯装置。
【請求項３】
高さを異にして階段状に配置している複数の棚板を含む、
請求項２記載の猫用の遊戯装置。
【請求項４】
支柱部は、床面と天井との間で突っ張って固定できるようにする固定手段を備えている、
請求項１、２または３記載の猫用の遊戯装置。
【発明の詳細な説明】
【０００１】
【発明の属する技術分野】
本発明は猫用の遊戯装置に関する。更に詳しくは、形状が変形できるようにして、室内の模様替え等の際に邪魔になり難く、また、猫にとっても登り降りがし易い遊戯装置に関する。
【０００２】
【従来技術】
従来から猫用の遊戯装置として、例えば、図１３に示すようなものが知られている。この遊戯装置は、複数本のポールを縦方向に繋ぎ、その間に棚板が固定してある構造を有している。遊戯装置は、床面と天井との間で繋いだポールを突っ張ることで設定される。猫は棚板間を飛び移ったり、ポールをよじ登ったりして遊ぶ。
【０００３】
【発明が解決しようとする課題】
しかし、上記した猫用の遊戯装置には、次のような課題があった。
即ち、遊戯装置は、棚板が縦方向に繋がれるポール間で挟まれて固定してあり、ポール自体も床面と天井との間で突っ張って固定してあるので、設置後に形状を変えることができない。そのため遊戯装置は、例えば、室内の模様替えを行う場合に邪魔になれば、設置場所を変えて動かさなければならなかった。
また、遊戯装置の設置場所を変える作業は、ポールが突っ張っている状態を解除したり、新たな設置場所でポールを突っ張らせたりしなければならず、多大な労力を伴なっていた。
【０００４】
更にまた、上記した遊戯装置は、それぞれ棚板の向きを変えて、猫が登り降りがし易いように一応は階段状にしてある。しかし、猫は、ポールに沿って垂直方向に登り降りしなければならないので、猫にとっても登り降りがし難いものであった。近年では運動不足から肥満ぎみの猫も多く、このような猫の場合では、登ることはできても降りることができないという課題もあった。
【０００５】
本発明の目的は、上記課題を解決するもので、形状が変形できるようにして、室内の模様替え等の際に邪魔になり難くした猫用の遊戯装置を提供することにある。
また、本発明の他の目的は、猫にとっても登り降りがし易い遊戯装置を提供することにある。
【０００６】
【課題を解決するための手段】
上記目的を達成するために講じた本発明の手段は次のとおりである。
第１の発明にあっては、
垂直方向に延びる支柱部を複数備え、該支柱部に棚板が回動可能に配置される猫用の遊戯装置であって、
上記支柱部は、紙管又は合成樹脂で形成され外周面には略全長にわたり縄が螺旋状に巻き付けてある円筒状の管本体を含み、
該管本体内部の両端側には、寸切長ボルト又は寸切短ボルトがねじ込まれるネジ孔を有する合成樹脂製の連結部材が固着して設けてあり、
上記棚板には、上記寸切長ボルト又は寸切短ボルトを通す貫通孔が形成されており、
上記棚板の上面側及び下面側に位置する支柱部の連結部材のネジ孔に上記貫通孔を貫通している上記寸切長ボルトの両側がねじ込まれ、上記棚板は上記支柱部の間に挟まれて取り付けられることを含む、
猫用の遊戯装置である。
【０００７】
第２の発明にあっては、
支柱部の連結部材のネジ孔に寸切短ボルトがねじ込まれ、該寸切短ボルトは棚板の貫通孔に差し込まれ、該棚板の上方から上記貫通孔に調整ナットが嵌め込まれ、該調整ナットは、上部には六角レンチが嵌合可能な穴が形成され下部には寸切短ボルトが螺合可能なネジ溝が形成されているフランジ付きナットであり、上記調整ナットを上記寸切短ボルトの上端に締め付けることにより、上記棚板が取り付けられている支柱部を含む、
第１の発明に係る猫用の遊戯装置である。
【０００８】
第３の発明にあっては、
高さを異にして階段状に配置している複数の棚板を含む、
第２の発明に係る猫用の遊戯装置である。
【０００９】
第４の発明にあっては、
支柱部は、床面と天井との間で突っ張って固定できるようにする固定手段を備えていることを特徴とする、
第１，第２または第３の発明に係る猫用の遊戯装置である。
【００１０】
（作  用）
本発明に係る猫用の遊戯装置は、棚板が回動可能に配置されるので、棚板を回動することにより遊戯装置の形状を変えることができる。
【００１１】
高さを異にして階段状に配置している複数の棚板を含むものは、猫の登り降りの方向を実質的に斜め方向にすることができる。
【００１２】
少なくとも設置面に接面しない支柱部を備えているものは、当該支柱部と設置面との間に空間を形成することができる。
【００１３】
支柱部が、床面と天井との間で突っ張って固定できるようにする固定手段を備えているものは、固定手段により支柱部を床面と天井との間で突っ張って固定することができる。
【００１４】
【発明の実施の形態】
本発明の実施の形態を図面に基づき更に詳細に説明する。
図１は本発明に係る猫用の遊戯装置の第１の実施の形態を示す斜視図、
図２は図１に示す遊戯装置の正面図、
図３は図１に示す遊戯装置の平面図、
図４は図１に示す遊戯装置の底面図、
図５は図１に示す遊戯装置の右側面図、
図６は図１に示す遊戯装置の左側面図、
図７は遊戯装置の形状を変形させた状態を示す斜視図、
図８はポール本体とキャップの取り付け構造を示す分解斜視図、
図９はポール部材と棚板との取り付け構造を示す部分断面図、
図１０はポール部材と台部との取り付け構造を示す部分断面図、
図１１はポール部材とアジャスター装置を示す説明図である。
【００１５】
符号Ａ１は猫用の遊戯装置を示している。遊戯装置Ａ１は、垂直方向に延びる支柱部であるポール部材１ａ，１ｂ，１ｃ，１ｄ，１ｅ，１ｆ，１ｇ，１ｈ，１ｉと、水平方向に延びる棚部である棚板２ａ，２ｂ，２ｃ，２ｄと、台板３ａ，３ｂ，３ｃと、固定手段であるアジャスター装置４を組み合わせて構成してある。
【００１６】
まず、ポール部材１ａ，１ｂ，１ｃ，１ｄ，１ｅ，１ｆ，１ｇ，１ｈ，１ｉの構成について説明する。なお、ポール部材１ａ，１ｂ，１ｃ，１ｄ，１ｅ，１ｆ，１ｇ，１ｈ，１ｉは、長さが主に異なっており他の構成は略同じなので、ここではポール部材１ｉを例に挙げて説明する。
【００１７】
図８及び図９を参照する。
ポール部材１ｉは、ポール本体１０と、ポール本体１０の両端部に設けられるキャップ１１を備えている。
ポール本体１０は円筒状の管本体１００を備えている。管本体１００の外周面には、綿製の縄１０１が、略全長にわたり螺旋状に巻き付けてある。隣り合う縄１０１間は、隙間が形成されないように密着してある。本実施の形態で管本体１００は、外径が略８５ｍｍ、内径が７５ｍｍの紙管を使用している。
【００１８】
管本体１００内部の両端側（図８及び図９では一端側しか表れていない）には、連結部材１０２が設けてある。
連結部材１０２は、管本体１００の内径よりやや径小の外径を有する略有底円筒状の外管部１０３と、外管部１０３の内部の中心部に、外管部１０３との間にやや隙間を形成して設けてある円筒形状の内管部１０４と、外管部１０３と内管部１０４の間に設けてあるキャップ連結部１０５を備えている。
【００１９】
内管部１０４の中心部には、連結部材１０２を貫通した貫通孔１０６が形成してある。本実施の形態で貫通孔１０６は１３ｍｍに設定してある。また、内管部１０４の内部には、金属製のナット１０７がネジ孔１０８を貫通孔１０６と対応させて、いわば貫通孔１０６の内面の一部にネジ部が形成されるように埋め込んである。本実施の形態でナットはＭ１２のものを使用している。
【００２０】
キャップ連結部１０５は、周方向に等間隔で三箇所に、外管部１０３の内周面と内管部１０４の外周面との間に架け渡して設けてある。各キャップ連結部１０５には、上面からねじ込み可能なネジ孔１０９がそれぞれ設けてある。
【００２１】
連結部材１０２は、外管部１０３と内管部１０４とキャップ連結部１０５とが一体に形成されている。内管部１０４とキャップ連結部１０５の上面は略面一で、これらの上面が外管部１０３の上面よりもやや低い位置に形成されるようにしてある。
【００２２】
連結部材１０２は、外管部１０３の上面が管本体１００の端面と略面一になるように嵌合して、外管部１０３の外周面を管本体１００の内周面に接着剤と外側から釘を打ち込んで固着させて設けてある。本実施の形態で連結部材１０２は合成樹脂製のものを使用している。
【００２３】
キャップ１１は、ポール本体１０の端部に被冠できるように、ポール本体１０の外径（縄１０１も含む）よりもやや大きい直径を有する上面部１１０を備え、この上面部１１０の周縁部から垂下する側部１１１を有する形状に形成してある。
【００２４】
キャップ１１の上面部１１０の中心部には、上記貫通孔１０６と対応する貫通孔１１２が形成してある。また、貫通孔１１２の周りで所要間隔をおいた部分には、貫通孔１１２を円心とする凹部１１３が裏面側に凸部１１４を形成して設けてある。凹部１１３の底部には周方向に等間隔で三箇所にネジ挿通孔１１５が形成してある。凹部１１３（または凸部１１４）の外径は、連結部材１０２を構成する外管部１０３の内径よりやや径小にしてある。本実施の形態で貫通孔１１２は１３ｍｍに設定してある。また、キャップ１１は合成樹脂製のものを使用している。
【００２５】
ポール部材１ｉは、キャップ１１をポール本体１０の端部に被せて凸部１１４を外管部１０３の内側部分に嵌め合い、ネジ挿通孔１１５を通してネジ孔１０９にネジＲをねじ込むことで組み立てられる。
【００２６】
上記したポール部材１ｉは長さが３２９ｍｍに設定してある。なお、ポール部材１ａは３９６ｍｍの長さに、ポール部材１ｂは３１０ｍｍの長さに、ポール部材１ｃ，１ｄはそれぞれ６９６ｍｍの長さに、ポール部材１ｅ，１ｆ，１ｈはそれぞれ３２９ｍｍの長さに、ポール部材１ｇは６８４ｍｍの長さに設定してある。
【００２７】
ポール部材１ａでは、上端部に被冠されるキャップが備えられていない。また、ポール部材１ａの上端部に内蔵される連結部材１０５の貫通孔１０６は、ポール部材１ｉのものよりやや径大に形成してある（図１１参照）。更に、この連結部材１０５にはナットが埋め込まれていない。本実施の形態でポール部材１ａの貫通孔１０６は１８ｍｍに設定してある。
【００２８】
棚板２ａ，２ｂ，２ｃ，２ｄの構成について説明する。なお、棚板２ａ，２ｂ，２ｃ，２ｄは略同じ構成を有するので、ここでは棚板２ｄを例に挙げて説明する。
【００２９】
棚板２ｄは長方形状の板本体２０を備えている。板本体２０の表面には、幅方向に延びる略「Ｖ」字状の溝部２２が、長さ方向の全長にわたり連なって（隣接して）形成してある。また、板本体２０の長さ方向の両側にあたる所要位置には貫通孔２００がそれぞれ形成してある。本実施の形態で板本体２０は木製のものを使用している。また、本実施の形態で板本体２０の厚みは２６ｍｍに設定してある。更に、貫通孔２００は１８ｍｍに設定してある。
【００３０】
板本体２０の裏面は平面状であり、当該面には表面がやや毳立った織物地２１が全面にわたり貼り付けてある。織物地２１についても上記貫通孔２００と対応する箇所には貫通孔２１０が形成してある。本実施の形態で織物地２１は化学繊維を使用した絨毯を使用している。
【００３１】
上記した棚板２ｄの板本体２０は、長さ４００ｍｍ、幅３５０ｍｍの大きさに設定してある。なお、棚板２ｂ，２ｃの板本体２０ｃは、棚板２ｄの板本体２０と同じ大きさに設定してある。棚板２ａの板本体は、長さ７００ｍｍ、幅３５０ｍｍの大きさに設定してある。棚板２ａには、略中心部分にも貫通孔が形成してある。
【００３２】
図１０を参照する。
台板３ａ，３ｂ，３ｃの構成について説明する。なお、台板３ａ，３ｂ，３ｃは同じ構成を有するので、ここでは台板３ａを例に挙げて説明する。
【００３３】
台板３ａは正方形状の台本体３０を備えている。台本体３０の表裏面は平面状に形成してある。台本体３０の略中心部には貫通孔３００が形成してある。台本体３０の裏面の四隅には台本体３０を設置面である床面からやや浮かすための台部３１が設けてある。本実施の形態で台本体３０及び台部３１は木材で形成してある。また、台本体３０及び台部３１は共に２０ｍｍの厚みに設定してある。
【００３４】
上記した台板３ａの台本体３０は、長さ２９０ｍｍ、幅２９０ｍｍの大きさに設定してある。なお、台板３ｂ、３ｃの台本体３０は、台板３ａの台本体３０と同じ大きさに設定してある。
【００３５】
図１１を参照する。
アジャスター装置４の構成について説明する。
アジャスター装置４はキャップ４０を備えている。キャップ４０はポール部材１ｂのキャップ１１と略同じ形状を有している。キャップ４０の貫通孔４００は、キャップ１１よりもやや径大にしてある。本実施の形態でキャップ４０は金属製のものを使用している。また、貫通孔４００は１８ｍｍに設定してある。
しかしキャップは合成樹脂で形成することもできる。
【００３６】
キャップ４０の上面には、ネジ孔が貫通孔４００と対応するようにして金属製のアジャスターナット４１が固定して設けてある。本実施の形態でアジャスターナット４１はＭ１６のものを使用している。
アジャスターナット４１には所要の長さを有するアジャスターボルト４２が、下部側を貫通孔１０６に貫通させてねじ込んである。また、アジャスターボルト４２のうちアジャスターナット４１より上部側にあたる部分には、移動可能なナット４３が設けてある。本実施の形態でアジャスターボルト４２は、上部側にはネジ溝が形成されていない寸切ボルトを使用している。
【００３７】
アジャスターボルト４２の上部側にあたるネジ溝が形成されていない部分には、円管状のハンドル固定部材４４が回転しないように固着して設けてある。ハンドル固定部材４４からはハンドル４４０が一側方に延出して設けてある。ハンドル固定部材４４の上部には平ワッシャー４５が設けてある。
【００３８】
平ワッシャー４５の上部には、後述する圧縮バネＳを内部に収容して、この圧縮バネＳを上方へ押し上げる昇降皿４６が設けてある。昇降皿４６は、下部が窄まった略逆円筒錐形状に形成してある。昇降皿４６は、下部にアジャスターボルト４２よりもやや径大な貫通孔４６０が形成してあり、この貫通孔４６０をアジャスターボルト４２の上部に嵌め入れて取り付けてある。
【００３９】
昇降皿４６の上縁部には、所要の幅を有する円環状の圧縮バネぐらつき防止部材４７が設けてある。圧縮バネぐらつき防止部材４７の内部には、圧縮バネぐらつき防止部材４７の内径よりやや径小の圧縮バネＳが挿通してある。圧縮バネＳは、下端を昇降皿４６の内底面と当接させて、下部側が昇降皿４６の内部に収容されるようにして設けてある。
アジャスターボルト４２の上端には、昇降皿４６がアジャスターボルト４２から外れないようにするための抜け防止ナット４８が固着して設けてある。
【００４０】
上記したハンドル固定部材４４は、詳しくは、平ワッシャー４５を介して設けてある昇降皿４６の内部に抜け防止ナット４８が収容され、アジャスターボルト４２の上端が昇降皿４６の上縁部より突出しないようにする位置に設けてある。
【００４１】
圧縮バネＳの上部には、天井と圧接する円板状の押圧板４９が設けてある。押圧板４９は、圧縮バネぐらつき防止部材４７の外径と略同径に形成してある。押圧板４９の下面には、圧縮バネＳの上端内部ときつく嵌り合う円板状の嵌合部材４９０が設けてある。
常態にて、圧縮バネぐらつき防止部材４７と押圧板４９とは、略２ｃｍの間隔が形成されるようにしてある。
本実施の形態でアジャスター装置４を構成する部品は、金属製のものを使用している。しかし、アジャスター装置４を構成する部品は、合成樹脂で形成することもできる。
【００４２】
（作  用）
図１ないし図１１を参照して、第１の実施の形態で示す遊戯装置の作用を、組み立て手順の一例を交えて説明する。
【００４３】
(1) 台板３ａにポール部材１ｄを取り付ける。
ポール部材１ｄの両端に設けてある連結部材１０２の内管部１０４のネジ孔１０８に、略中間部分にネジ溝が形成されていない所要長さを有する寸切長ボルトＢ１を、キャップ１１の貫通孔１１２を通してねじ込む。なお、本実施の形態で示す寸切長ボルトＢ１は、以下においてもこのような構成を有している。寸切長ボルトＢ１は回らなくなる位置までねじ込んで取り付けられる。ポール部材１ｄは、下端に取り付けた寸切長ボルトＢ１を台板３ａの貫通孔３００に上方より差し込み、台板３ａの裏側から出た部分に平ワッシャーＷとナットＮ１を取り付けて固定される。
【００４４】
(2) ポール部材１ｄにポール部材１ｃを取り付ける。
ポール部材１ｃの上端に、ポール部材１ｄと同様に寸切長ボルトＢ１を取り付ける。ポール部材１ｃは、下端のネジ孔１０８にポール部材１ｄの上端に取り付けられた寸切長ボルトＢ１をねじ込むことで繋いで取り付けられる。
【００４５】
(3) ポール部材１ｃに棚板２ａを取り付ける。
棚板２ａの中心部分に形成してある貫通孔２００を、ポール部材１ｃの上端の寸切長ボルトＢ１に差し込んで貫通させる。このとき寸切長ボルトＢ１は、棚板２ａの上面より突出するようになっている。
【００４６】
(4) 棚板２ａにポール部材１ｂを取り付ける。
棚板２ａの上面から出た寸切長ボルトＢ１には、上端に寸切長ボルトＢ１を取り付けたポール部材１ｂが、下端のネジ孔１０８をねじ込んで取り付けられる。即ち、棚板２ａは、ポール部材１ｃとポール部材１ｂとで挟んで取り付けられる。
【００４７】
(5) ポール部材１ｂにポール部材１ａとアジャスター装置４を取り付ける。
まず、ポール部材１ａにアジャスター装置４を取り付ける。
アジャスター装置４は、アジャスターボルト４２を下降させてキャップ４０と押圧板４９との距離を短くした状態で、アジャスターボルト４２を連結部材１２の貫通孔１０６に通してポール本体１０内に収容する。そして、キャップ４０をポール本体１０の上端に被せて、ネジ挿通孔１１５を通してネジ孔１０９にネジをねじ込んで取り付けられる。
【００４８】
アジャスター装置４が取り付けられたポール部材１ａをポール部材１ｂに取り付ける。
ポール部材１ａは、下端のネジ孔１０８にポール部材１ｂの上端に取り付けられた寸切長ボルトＢ１をねじ込むことで繋いで取り付けられる。
【００４９】
(6) アジャスター装置４を使用してポール部材１ａ、１ｂ、１ｃ、１ｄを床面と天井との間で突っ張って固定する。
アジャスター装置４のハンドル４４０をアジャスターボルト４２の周方向に回転して、アジャスターボルト４２を上昇させる。アジャスターボルト４２を上昇させることで押圧板４９が天井と当接する。押圧板４９が天井と当接した後も更にハンドル４４０を回転してアジャスターボルト４２を上昇させる。押圧板４９が天井と当接した後では、昇降皿４６がハンドル固定部材４４に押されて圧縮バネＳを縮ませながら上昇する。圧縮バネＳが縮められることにより、この圧縮バネＳが復元しようとする力により押圧板４９が天井と圧接する。これによりポール部材１ａ、１ｂ、１ｃ、１ｄが強固に床面と天井とで突っ張って固定される。
【００５０】
昇降皿４６は、ハンドル固定部材４４との間に平ワッシャー４５が設けてあるので、ハンドル固定部材４４と直接接触しない状態で上昇される。そのため押圧板４９が天井と当接した後でも、ハンドル固定部材４４の回転力が摩擦により伝わることがない。これにより昇降皿４６は、ハンドル固定部材４４に追従して共に回ることがなく、圧縮バネＳを通じて押圧板４９が回転することがないので、押圧板４９が天井に当接した後も突っ張らせて固定する作業がし易い。また、圧縮バネＳに周方向へのねじれ等を生じさせることもない。
【００５１】
昇降皿４６の上昇は、圧縮バネＳが相当に縮められ、ポール部材１ａ、１ｂ、１ｃ、１ｄが十分に突っ張った状態になったところで止める。そして、この状態でナット４３を下方に移動させて、このナット４３をアジャスターナット４１に締め付けていわゆるダブルナットの状態にし、アジャスターボルト４２を固定する。
【００５２】
(7) 台板３ｂにポール部材１ｇを取り付ける。同様に、台板３ｃにポール部材１ｉを取り付ける。
ポール部材１ｇの両端に寸切長ボルトＢ１を取り付ける。また、ポール部材１ｉは上端に寸切短ボルトＢ２を取り付け、下端に寸切長ボルトＢ１を取り付ける。寸切短ボルトＢ２は、略中間部分にネジ溝が形成されておらず、寸切長ボルトＢ１よりやや長さが短いものである。なお、本実施の形態で示す寸切短ボルトＢ２は、以下においてもこのような構成を有している。ポール部材１ｇ、１ｉの台板３ｂ、３ｃへの取り付けの説明は、上記したポール部材１ｄを台板３ａに取り付ける場合と同様であるので省略する。
【００５３】
(8) ポール部材１ｉに棚板２ｄを取り付ける。
棚板２ｄの一方の貫通孔２００に、ポール部材１ｉの上端の寸切短ボルトＢ２を差し込む。このとき寸切短ボルトＢ２は、棚板２ｄの上面より出ないようになっている。棚板２ｄの上方から貫通孔２００に調整ナットＮ２を嵌める。本実施の形態で調整ナットＮ２は、上部に六角レンチが嵌合可能な穴が形成してあり、下部に寸切短ボルトＢ２が螺合可能なネジ溝が形成してあるフランジ付きナットを使用している。そして、この調整ナットＮ２を寸切短ボルトＢ２の上端に締め込んで、ポール部材１ｉに棚板２ｄを取り付ける（図９参照）。なお、本実施の形態で示す調整ナットＮ２は、以下においてもこのような構成を有している。
【００５４】
(9) 棚板２ｄにポール部材１ｈを取り付ける。
ポール部材１ｈの両端に寸切短ボルトＢ２を取り付ける。ポール部材１ｈの下端の寸切短ボルトＢ２を棚板２ｄの他方の貫通孔２００に上方より差し込み、棚板２ｄの下方から貫通孔２００に調整ナットＮ２を嵌め、この調整ナットＮ２を寸切短ボルトＢ２の下端に締め込んで棚板２ｄにポール部材１ｈを取り付ける。
【００５５】
(10) ポール部材１ｇとポール部材１ｈに棚板２ｃを取り付ける。
棚板２ｃの一方の貫通孔２００にポール部材１ｈの上端の寸切短ボルトＢ２を上方より差し込み、他方の貫通孔２００にポール部材１ｇの上端の寸切長ボルトＢ１を差し込む。このとき他方の貫通孔２００を差し込んだ寸切長ボルトＢ１は、棚板２ｃの上面より突出するようになっている。棚板２ｃの上方から一方の貫通孔２００に調整ナットＮ２を嵌め、寸切短ボルトＢ２の上端に締め込んで、ポール部材１ｈに棚板２ｃを取り付ける。
【００５６】
(11)棚板２ｃにポール部材１ｆを取り付ける。
ポール部材１ｆの上端に寸切短ボルトＢ２を取り付ける。ポール部材１ｆは、下端のネジ孔１０８にポール部材１ｇの上端に取り付けられた寸切長ボルトＢ１をねじ込んで取り付けられる。
【００５７】
(12)ポール部材１ｆに棚板２ｂを取り付ける。
棚板２ｂの一方の貫通孔２００にポール部材１ｆの上端の寸切短ボルトＢ２を差し込み、棚板２ｂの上方から貫通孔２００に調整ナットＮ２を嵌め、この調整ナットＮ２を寸切短ボルトＢ２の上端に締め込んで、棚板２ｂをポール部材１ｆに取り付ける。
【００５８】
(13)棚板２ｂにポール部材１ｅを取り付ける。
ポール部材１ｅの両端に寸切短ボルトＢ２を取り付ける。ポール部材１ｅの下端の寸切短ボルトＢ２を棚板２ｂの他方の貫通孔２００に差し込み、上記と同様に調整ナットＮ２を寸切短ボルトＢ２の下端に締め込んで、棚板２ｂにポール部材１ｅを取り付ける。
【００５９】
(14)棚板２ａにポール部材１ｅを取り付ける。
ポール部材１ｅの上端に寸切短ボルトＢ２を取り付ける。ポール部材１ｅの上端の寸切短ボルトＢ２を棚板２ａの長さ方向の両端側に設けられた貫通孔２００の一方に差し込む。棚板２ａの上方から貫通孔２００に調整ナットＮ２を嵌め、この調整ナットＮ２を寸切短ボルトＢ２の上端に締め込んで、棚板２ａにポール部材１ｅを取り付ける。
以上により、遊戯装置が組み立てられる。
【００６０】
遊戯装置Ａ１は、ポール部材１ａ，１ｂ，１ｃ，１ｄがアジャスター装置４によって床面と天井との間で突っ張って固定してある。
【００６１】
ポール部材１ｅ，１ｆ，１ｈ，１ｉは、突っ張った状態で設置されておらず、棚板２ｂ，２ｃ，２ｄと調整ナットＮ２で連結して設けてある。従って、棚板２ｂ，２ｃ，２ｄは、調整ナットＮ２を緩めることでポール部材を中心として回動が可能である。
【００６２】
詳しくは、ポール部材１ｅを取り付けている上端または下端の調整ナットＮ２を緩めることで、ポール部材１ｅを中心として棚板２ｂが水平方向に回動できる。また、ポール部材１ｆを取り付けている上端の調整ナットＮ２を緩めることで、ポール部材１ｆ、１ｇを中心として棚板２ｃが水平方向に回動できる。更に、ポール部材１ｈを取り付けている上端または下端の調整ナットＮ２を緩めることで、ポール部材１ｈを中心として棚板２ｄが水平方向に回動できる。
【００６３】
棚板２ｂ，２ｃ，２ｄは、対応する調整ナットＮ２を緩めるだけで回動可能な状態になるので、形状の変形が簡単である。
【００６４】
つまり遊戯装置Ａ１は、設置後でも形状を変えることができる。
【００６５】
また、遊戯装置Ａ１は、棚板２ｂ，２ｃ，２ｄが、両端側に設けてあるポール部材によって水平方向に位置を変えて、段々と高さが低くなるいわば階段状を形成するように設けてある。これにより登り降りの方向は、実質的に斜め方向を向くようになっている。従って、遊戯装置Ａ１は、肥満ぎみの猫でも登り降りがし易い。
【００６６】
アジャスター装置４に圧縮バネＳが内蔵してあり、床面と天井との間で突っ張ったときではこの圧縮バネＳが縮められた状態になっているので、例えば、アジャスターボルト４２が緩んだりしてハンドル固定部材４４の位置がやや下がった場合でも、圧縮バネＳの復元しようとする力によって押圧板４９は天井を押圧し続ける。このため押圧板４９による天井への押圧力が弱まることがなく、上記した場合でも強固に床面と天井との間で突っ張ることができる。
【００６７】
また、押圧板４９は圧縮バネＳが変形することにより自由方向に向きを変えることができるので、例えば、天井に若干の勾配がある場合でも、押圧板４９は前記勾配に沿って天井を押圧することができる。
【００６８】
本実施の形態で棚板２ａ，２ｂ，２ｃ，２ｄは、上面に溝部２２が位置するように取り付けてあるが、これに限定するものではなく、上面に織物地が位置するように取り付けることもできる。このように棚板２ａ，２ｂ，２ｃ，２ｄは、裏表で使用することができる。従って、例えば季節ごとに、夏は溝部２２が上面に位置するように、冬は織物地が上面に位置するように変えることができる。
【００６９】
また、棚板２ａ，２ｂ，２ｃ，２ｄの上面となる側には、それぞれ溝部２２や表面が毳立った織物地２１が設けてあるので、どちらの面でも猫が爪を引っ掛け易く登り降りがし易い。
【００７０】
本実施の形態で管本体は、外径が略８５ｍｍ、内径が７５ｍｍの紙管を使用したが、管本体の大きさは特に限定するものではない。また、管本体を形成する材料も限定するものではなく、例えば、合成樹脂、金属等で形成されたものを使用することもできる。
【００７１】
本実施の形態で縄は綿製のものを使用したが、縄の材料はこれに限定するものではなく、例えば、植物繊維（麻等）絹、化学繊維（再生繊維や合成繊維や半合成繊維も含む）またはこれら混紡物（化学繊維も含む）で形成してあるものを使用することもできる。
【００７２】
本実施の形態で示す連結部材やキャップの貫通孔、連結部材に埋め込まれるナット、棚板の貫通孔、アジャスターナット、アジャスターボルト等の径は、特に限定するものではない。
【００７３】
本実施の形態で連結部材やポール部材のキャップは合成樹脂で形成したものを示したが、材料は特に限定するものではなく、例えば、金属や木材等で形成することもできる。
【００７４】
本実施の形態で棚板を構成する板本体は木材で形成したものを示したが、板本体を形成する材料はこれに限定するものではなく、例えば、合成樹脂、紙、金属等で形成することもできる。
【００７５】
本実施の形態で棚板は、一方の面に溝部２２が形成してあり、他方の面に織物地を設けるようにしたが、これは限定するものではなく、例えば、両方の面に溝部を設けることもできるし、両方の面に織物地を設けることもできる。また、棚板には、溝部や織物地を設けないようにすることもできる。
【００７６】
本実施の形態で織物地は、表面がやや毳立った状態のものを使用したが、これは限定するものではない。しかしながら、織物地の表面は、猫が爪を掛けやすいようにしてあるものが好ましい。
【００７７】
本実施の形態で織物地は化学繊維（再生繊維や合成繊維や半合成繊維も含む）からなる絨毯を使用したが、織物地を形成する材料はこれに限定するものではなく、例えば、綿、絹またはこれら混紡物（化学繊維も含む）で形成することもできる。また、織物地の代わりに編物地を使用することもできる。
【００７８】
本実施の形態で連結部材には、ナットを埋め込んでネジ孔が形成されるようにしたが、ネジ孔の形成はこれに限定するものではなく、例えば、キャップの裏側に直接ナットを固着して形成することもできる。
【００７９】
本実施の形態で示すポール部材の長さや径、棚板や台板の厚みや大きさは、特に限定するものではなく、適宜設定可能である。
【００８０】
本実施の形態でアジャスター装置４の圧縮バネＳは、所要の径を有するものが圧縮バネぐらつき防止部材４７内に一つ内蔵されるようにしたが、圧縮バネはこれに限定するものではない。例えば、圧縮バネぐらつき防止部材４７内に複数個収容されるようにして設けることもできるし、圧縮バネぐらつき防止部材４７上に複数個配置して設けることもできる。
【００８１】
図１２は本発明に係る猫用の遊戯装置の第２の実施の形態を示す正面図である。
なお、図１２において、上記図１ないし図１１で示したものと同一または同等箇所には同一の符号を付して示している。また、以下の説明において構造について上記で示した箇所と重複する説明は省略する。
【００８２】
遊戯装置Ａ２は、ポール部材１ａ，１ｂ，１ｃ，１ｄ，１ｅ，１ｆ，１ｇ，１ｈ，１ｉ，１ｊ，１ｋ，１Ｌと、棚板２ｂ，２ｃ，２ｄ，２ｅ，２ｆ，２ｇと、台板３ａ，３ｂ，３ｃ，３ｄと、二つのアジャスター装置４を組み合わせて構成してある。
【００８３】
ポール部材１ｊは、上記したポール部材１ａと同じ構成を有している。また、ポール部材１ｋ，１Ｌは、上記したポール部材１ｂ，１ｃ，１ｄ，１ｅ，１ｆ，１ｇ，１ｈ，１ｉと長さが主に異なっており他は同じ構成を有している。従って、ポール部材１ｊ，１ｋ，１Ｌについての説明は省略する。
なお、ポール部材１ｊは３９６ｍｍの長さに、ポール部材１ｋ，１Ｌはそれぞれ８５６ｍｍの長さに設定してある。
【００８４】
棚板２ｅ，２ｆ，２ｇは、上記した棚板２ａ，２ｂ，２ｃ，２ｄと略同じ構成を有しているので、異なる箇所のみ説明する。
棚板２ｇには、貫通孔が長さ方向の一方側のみに形成してある。
なお、棚板２ｅ，２ｇの板本体２０は、長さ４００ｍｍ、幅３５０ｍｍの大きさに設定してある。棚板２ｆの板本体２０は、長さ１８００ｍｍ、幅３５０ｍｍの大きさに設定してある。
【００８５】
台板３ｄは、上記した台板３ａ，３ｂ，３ｃと同じ構成を有している。従って、台板３ｄについての説明は省略する。
【００８６】
図１２を参照して、第２の実施の形態で示す遊戯装置の組み立て手順の一例を説明する。なお、上記図１ないし図１１で示したものと同一または同等の組み立て手順を有する箇所については、大体において表題のみを示すようにして詳細な説明は省略する。
【００８７】
(1) 台板３ｄにポール部材１Ｌを取り付ける。
(2) ポール部材１Ｌに棚板２ｇを取り付ける。
棚板２ｇに形成してある貫通孔２００に、ポール部材１Ｌの上端の寸切長ボルトＢ１を差し込んで貫通させる。
(3) 棚板２ｇにポール部材１ｋを取り付ける。
棚板２ｇの上面から出た寸切長ボルトＢ１には、上端に寸切長ボルトＢ１を取り付けたポール部材１ｋが、下端のネジ孔１０８を締め込んで取り付けられる。
【００８８】
(4) 台板３ａにポール部材１ｄを取り付ける。
(5) ポール部材１ｄにポール部材１ｃを取り付ける。
(6) ポール部材１ｃに棚板２ｅを取り付ける。
(7) 棚板２ｅにポール部材１ｂを取り付ける。
【００８９】
(8) 台板３ｂにポール部材１ｇを取り付ける。同様に、台板３ｃにポール部材１ｉを取り付ける。
(9) ポール部材１ｉに棚板２ｄを取り付ける。
(10) 棚板２ｄにポール部材１ｈを取り付ける。
(11) ポール部材１ｇとポール部材１ｈに棚板２ｃを取り付ける。
(12)棚板２ｃにポール部材１ｆを取り付ける。
(13)ポール部材１ｆに棚板２ｂを取り付ける。
(14)棚板２ｂにポール部材１ｅを取り付ける。
(15)棚板２ｅにポール部材１ｅを取り付ける。
【００９０】
(16) ポール部材１ｋとポール部材１ｂに棚板２ｆを取り付ける。
棚板２ｆの一方の貫通孔をポール部材１ｂの上端の寸切長ボルトＢ１に上方より差し込み、他方の貫通孔をポール部材１ｋの上端の寸切長ボルトＢ１に差し込む。
【００９１】
(17)棚板２ｆにポール部材１ａ，１ｊとアジャスター装置４を取り付ける。
(18)アジャスター装置４を使用してポール部材１ａ、１ｂ、１ｃ、１ｄと、ポール部材１ｊ，１ｋ，１Ｌを床面と天井との間で突っ張って固定する。
以上により、遊戯装置Ａ２が組み立てられる。
【００９２】
（作  用）
図１２を参照して、第２の実施の形態で示す遊戯装置Ａ２の作用を説明する。
なお、上記した遊戯装置Ａ１と共通する構成により生じる同様の作用、効果については説明を省略する。
【００９３】
遊戯装置Ａ２は、床面と天井との間に突っ張るポール部材１ａ，１ｂ，１ｃ，１ｄとポール部材１ｊ，１ｋ，１Ｌが、二箇所に所要間隔をもって設けてあるので設置したときの安定性が良い。
【００９４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００９５】
【発明の効果】
本発明は上記構成を備え、次の効果を有する。
（ａ）本発明に係る猫用の遊戯装置は、棚板が回動可能に配置されるので、棚板を回動することにより遊戯装置の形状を変えることができる。
このため本発明に係る猫用の遊戯装置は、例えば、室内の模様替えを行う場合に邪魔になったときでも、棚板を回動させて邪魔にならない位置に移動ができる。
【００９６】
（ｂ）高さを異にして階段状に配置している複数の棚板を含むものは、肥満ぎみの猫でも登り降りがし易い。
【００９７】
（ｃ）少なくとも設置面に接面しない支柱部を備えているものは、当該支柱部と設置面との間に空間を形成することができる。
【００９８】
（ｄ）支柱部が、床面と天井との間で突っ張って固定できるようにする固定手段を備えているものは、固定手段により支柱部を床面と天井との間で突っ張って固定することができる。
これにより本発明に係る猫用の遊戯装置を安定させることができる。
【図面の簡単な説明】
【図１】  本発明に係る猫用の遊戯装置の第１の実施の形態を示す斜視図。
【図２】  図１に示す遊戯装置の正面図。
【図３】  図１に示す遊戯装置の平面図。
【図４】  図１に示す遊戯装置の底面図。
【図５】  図１に示す遊戯装置の右側面図。
【図６】  図１に示す遊戯装置の左側面図。
【図７】  遊戯装置の形状を変形させた状態を示す斜視図。
【図８】  ポール本体とキャップの取り付け構造を示す分解斜視図。
【図９】  ポール部材と棚板との取り付け構造を示す部分断面図。
【図１０】  ポール部材と台部との取り付け構造を示す部分断面図。
【図１１】  ポール部材とアジャスター装置を示す説明図。
【図１２】  本発明に係る猫用の遊戯装置の第２の実施の形態を示す正面図、
【図１３】  従来の猫用の遊戯装置を示す説明図。
【符号の説明】
Ａ１，Ａ２  遊戯装置
Ｎ１  ナット
Ｎ２  調整ナット
Ｒ  ネジ
Ｓ  圧縮バネ
Ｗ  平ワッシャー
１ａ，１ｂ，１ｃ，１ｄ，１ｅ，１ｆ  ポール部材
１ｇ，１ｈ，１ｉ，１ｊ，１ｋ，１Ｌ  ポール部材
１０  ポール本体
１００  管本体
１０１  縄
１０２  連結部材
１０３  外管部
１０４  内管部
１０５  キャップ連結部
１０６  貫通孔
１０７  ナット
１０８  ネジ孔
１０９  ネジ孔
１１  キャップ
１１０  上面部
１１１  側部
１１２  貫通孔
１１３  凹部
１１４  凸部
１１５  ネジ挿通孔
２ａ，２ｂ，２ｃ，２ｄ，２ｅ，２ｆ，２ｇ  棚板
２０  板本体
２００  貫通孔
２１  織物地
２１０  貫通孔
３ａ，３ｂ，３ｃ，３ｄ  台板
３０  台本体
３００  貫通孔
３１  台部
４  アジャスター装置
４０  キャップ
４００  貫通孔
４１  アジャスターナット
４２  アジャスターボルト
４３  ナット
４４  ハンドル固定部材
４４０  ハンドル
４５  平ワッシャー
４６  昇降皿
４６０  貫通孔
４７  圧縮バネぐらつき防止部材
４８  抜け防止防止ナット
４９  押圧板
４９０  嵌合部材
【図１】
0004503877.tif 000002
【図２】
0004503877.tif 000003
【図３】
0004503877.tif 000004
【図４】
0004503877.tif 000005
【図５】
0004503877.tif 000006
【図６】
0004503877.tif 000007
【図７】
0004503877.tif 000008
【図８】
0004503877.tif 000009
【図９】
0004503877.tif 000010
【図１０】
0004503877.tif 000011
【図１１】
0004503877.tif 000012
【図１２】
0004503877.tif 000013
【図１３】
0004503877.tif 000014